(57)【要約】【課題】本発明は、寝具製造者、販売者、提供者が布団を販売するに当たり、例えば、様々の分野のスポーツや芸能の応援フラッグ（旗）等のグッズや素材等を所有者から預かり、これを素材として布団側地を製造し、当該布団側地を使用して、今までにない話題性のある布団を客に提供することで、布団の販売促進を図る販売促進方法に関する。【解決手段】寝具製造者、販売者、提供者が布団を販売するに当たり、様々の分野のスポーツや芸能の応援フラッグ（旗）等のグッズや素材を客から預かり、これを素材として側地を製造し、当該側地を使用して製造した布団を上記客に提供する。【選択図】　　　図１
2004121783.tif 000002
【特許請求の範囲】
【請求項１】
様々の分野のスポーツや芸能の応援フラッグ（旗）等のグッズや素材から選ばれた少なくとも一つを所有者から預かり、加工者がこれを素材として独自にまたは所定の製造要領に基づいて布団側を製造し、当該布団側を使用して布団を製造した後、再び所有者に返却する事を特徴とする、
布団の製造方法。
【請求項２】
少なくとも所有者と加工者に渡される製造要領を示す手段に基づいて布団を製造することを特徴とする、
請求項１記載の布団の製造方法。
【請求項３】
販売者が様々の分野のスポーツや芸能の応援フラッグ（旗）等のグッズや素材を販売する事に当たり、選ばれた少なくとも一つを購入者から預かり、これを素材として布団側を製造し、当該布団側を使用して製造した布団を上記購入者に提供する事を特徴とする、
物品の販売促進方法。
【請求項４】
提供者が役務を提供するに当たり、様々の分野のスポーツや芸能の応援フラッグ（旗）等のグッズや素材から選ばれた少なくとも一つを享受者から預かり、これを素材として布団側を製造し、当該布団側を使用して製造した布団を上記享受者に提供する事を特徴とする、
役務の提供促進方法。
【発明の詳細な説明】
【００１】
【発明の属する技術分野】
本発明は布団の製造方法及び物品の販売促進方法及び役務の提供促進方法に関する。
更に詳しくは、例えば、様々の分野のスポーツや芸能の応援フラッグ（旗）等のグッズや素材等を所有者から預かり、加工者がこれを素材として布団側を製造し、当該布団側を使用して布団を製造する布団の製造方法に関する。また、販売者が応援フラッグ（旗）等のグッズや素材の物品を販売するに当たり、販売の後に選ばれた少なくとも一つを購入者から預かり、これを素材として布団側を製造し、当該布団側を使用して製造した布団を購入者に提供するようにして物品の販売促進を図る物品の販売促進方法等に関する。
【００２】
【従来技術及び課題】
近年では、布団は布団側の耐久性の向上で布団そのものも耐久性が向上し、買いかえサイクルも延び、新規布団需要も伸び悩みである。
【００３】
また、少子化やブライダル件数の減少等も新規布団需要に影響している。そのため布団を販売する寝具店や寝具製造者も、売上を伸ばすことが困難になっている。
それに、近年は布団も外国からの低コスト商品の流入で、販売価格、販売単価の低下で売上の伸び悩みの原因になっている。
外国からの低コスト商品の流入は、日本の寝具製造者（加工者）を圧迫し、仕事量の減少になっている。
【００４】
本発明者は、寝具製造者（加工者）及び寝具店等の販売者、提供者の販売促進を図り、新規着想、新規企画での加工者の仕事量の増加と、販売者、提供者の販売を伸ばす事の出来る方法を模索していた。更に、外国から類似の商品が直ちに流入する事のない事も着想の重要な部分である。
本発明者は、現代の様々のスポーツや芸能分野の人気に着目し、この人気に関連したことを布団に取り込めないかと考え、各チームや各選手や芸能の人々の応援フラッグ（旗）に代表されるような特異性のあるグッズや素材を利用した布団側と布団製造に着目した。
【００５】
本発明の目的は、従来からの布団側にとらわれず、人々に人気のある様々のスポーツや芸能に関するグッズや素材を有効に活用し、独自にまたは所定の製造要領に基づいて、布団側を製造し、当該布団側を使用して布団を製造する事で、新規着想、新規企画による加工者の加工量の増加と販売者・提供者の販売に役立つのではとの着想を得た。
【００６】
【課題を解決するための手段】
上記目的を達成するために講じた本発明の手段は次の通りである。
第１の発明にあっては、
少なくとも様々の分野のスポーツや芸能の応援フラッグ（旗）等のグッズや素材から選ばれた少なくとも一つを所有者から預かり、加工者がこれを素材として独自にまたは所定の製造要領に基づいて布団側を製造し、当該布団側を使用して布団を製造した後、再び所有者に返却することを特徴とする、
布団の製造方法である。
【００７】
第２の発明にあっては、
少なくとも所有者と加工者に渡される製造要領を示す手段に基づいて布団を製造することを特徴とする、
第１の発明に係る布団の製造方法である。
【００８】
第３の発明にあっては、
販売者が様々の分野のスポーツや芸能の応援フラッグ（旗）等のグッズや素材を販売するに当たり、選ばれた少なくとも一つを購入者から預かり、これを素材として布団側を製造し、当該布団側を使用して製造した布団を上記購入者に提供する事を特長とする、
物品の販売促進方法である。
【００９】
第４の発明にあっては、
提供者が役務を供するに当たり、少なくとも様々の分野のスポーツや芸能の応援フラッグ（旗）等のグッズや素材から選ばれた少なくとも一つを享受者から預かり、これを素材として布団側を製造し、当該布団側を使用して製造した布団を上記享受者に提供する事を特長とする、
役務の提供促進方法である。
【０１０】
様々の分野のスポーツや芸能の応援フラッグ（旗）等の「グッズ」の種類としては、例えば、チームフラッグ、クラブフラッグ、ナショナルフラッグ（国旗）、コマーシャルフラッグ、応援のぼり、宣伝のぼり、タペストリー、ブランケット、のれん、ハッピ、タオル、コマーシャルカーテン等を挙げることができる。これに限定するものではない。
「芸能」では、シンガー、エンターティナー、タレント等の応援グッズ、コマーシャルグッズの活用も挙げることができる。これに限定するものではない。
「芸能」では、様々の国や地方の伝統ある織物や染物加工素材も活用できるものに挙げることができるが、これに限定するものではない。
【０１１】
「販売者」としては、例えば、スポーツ分野では球場、競技場等の売店、オフィシャルショップ等を挙げることができる。これに限定するものではない。
「芸能」では、シンガー、エンターティナー、タレント等の個人やプロダクション等の売店、オフィシャルショップ等を挙げることができる。これに限定するものではない。
「芸能」では、様々の国や地方の伝統ある織物や染物の生産や販売に関わる人の提供する販売店を挙げることができるが、これらに限定するものではない。
【０１２】
本明細書で「提供者」という用語は、役務を提供して対価を得ることを業としているものを含む概念である。
「提供者」としては、布団製造業、布団の打ち直し業、寝具小売業、または各分野のグッズ販売店、素材販売店等を挙げることができるが、これに限定するものではない。
また、本明細書で「享受者」という用語は、提供された役務に対して対価の支払義務があるものを含む概念である。
【０１３】
本発明に係る布団の製造方法によれば、様々の分野のスポーツや芸能の応援フラッグ（旗）等のグッズや素材の柄や模様等が表れた布団が製造できる。製造された布団は所有者に返却される。このようにして所有者は、通常であれば手に入れることができない、例えば、思い出深い布団や、今までにない独自の雰囲気を備えた布団を得る事ができる。
【０１４】
少なくとも所有者と加工者に渡される製造要領を示す手段に基づいて布団を製造する本発明に係る布団の製造方法によれば、製造される布団の形態を予め製造要領を示す手段を使用して所有者と加工者との間で決めておくことができる。これにより所有者は、例えば希望通りの布団を得ることができるし、加工者は予め決められた通りに製造すれば良く、迷うことなく製造できる。
【０１５】
本発明に係る物品の販売促進方法によれば、購入者に様々の分野のスポーツや芸能の応援フラッグ（旗）等のグッズや素材等を預かってこれを素材とした布団を製造して提供するという利益を与えることができ、単に物品を販売する場合よりも、購入者に興味を持たせることができる。これにより販売者による物品の販売がし易くなり、物品の販売促進を図ることができる。
【０１６】
本発明に係る役務の提供促進方法によれば、享受者に、様々の分野のスポーツや芸能の応援フラッグ（旗）等のグッズや素材等を預かってこれを素材とした布団を製造して提供するという利益を与えることができ、単に役務を提供する場合よりも、享受者に興味を持たせることができる。これにより提供者による役務の提供がし易くなり、役務の提供促進を図ることができる。
【０１７】
【発明の実施の形態】
本発明の実施の形態に基づき更に詳細に説明する。
図１は本説明に係る物品の販売促進方法の一実施の形態で使用するグッズ、素材を示す説明図である。
図２は図１に示すグッズ、素材を加工して製造された掛布団を示す説明図である。
図３は加工依頼票を示す説明図である。
本実施の形態で示す販売促進方法にて使用する構成を説明する。
【０１８】
符号１はグッズ（野球応援フラッグ）を示している。
【０１９】
符号２は布団である掛布団を示している。掛布団２は、布団側である側地２０と、側地２０の中に詰めている中綿２１を備えている。側地２０は、グッズや素材１の布状物２０１と布地からなる基側地２００とをつなぎ合わせて形成してある。
【０２０】
符号３はグッズや素材１から掛布団２を製造する際の要領が記入してある、製造要領を示す手段である加工依頼票を示している。
加工依頼票３には、「販売者」や「提供者」が購入者である客からグッズや素材１を預かった日付を記入する日付欄３０、客の氏名、住所、電話番号を記入する客情報欄３１、グッズや素材１の種類等を記入する預かり物情報欄３２、製造する掛布団２の形態等を記入する製造物情報欄３３、グッズや素材１を預かってから客に掛布団２を納品するまでの流れを示すフロー欄３４、取扱い店名を記入する窓口店名欄３５、製造代金の額を記入する金額欄３６を備えている。
【０２１】
加工依頼票３は、紙製の３部綴りの複写式になっており、同じ事項（情報）が記入されたものが３部作られるようになっている。加工依頼票３は、客と販売者・提供者と加工者である布団加工業者にそれぞれ渡されて使用される。
【０２２】
図４はグッズ、素材の引き渡しや受け取りの流れを示すフロー図である。
図５は製造された布団の引き渡しや受け取りの流れを示すフロー図である。
図６は製造代金の支払いや受け取りの流れを示すフロー図である。
図１ないし図６を参照して、本発明に係る販売促進方法の一実施の形態を説明する。
【０２３】
本実施の形態で示すものは、「販売者」「提供者」はグッズ、素材を預かって、これらを素材として側地を製造し、当該側地を使用して掛布団を製造するという、グッズ、素材が有効に活用できる方法を提供する。
以下、そのグッズ、素材の販売促進方法を詳細に説明する。
【０２４】
１．グッズ、素材の移動フロー
図４を参照する。「販売者」「提供者」は、物品であるグッズ、素材を提供し、提示したグッズ、素材を購入すればグッズ、素材を預かって、そのグッズ、素材を加工して製造した掛布団を提供することを説明する（ステップ１００）
【０２５】
客は、上記説明を受け、グッズ、素材を購入する。（ステップ１０１）
客は、掛布団に加工されるグッズ、素材１を「販売者」「提供者」に預ける（ステップ１０２）「販売者」「提供者」は、客からグッズ、素材１を預かる。（ステップ１０３）。但し、客は従来からの手持ちグッズ、素材を活用することでその場において購入したものだけとは限らない。
【０２６】
「販売者」「提供者」は、加工依頼票の日付欄３０に預かった日付と、預かり物情報欄３２にグッズ、素材１の種類等を記入する。また、加工依頼票３の製造物情報欄３３に、客が希望する布団の形態を記入する。客は、加工依頼票３の客情報欄３１に、氏名、住所、電話番号等を記入する。窓口店名欄３５には、予め取扱い店が記入してある（ステップ１０４）。３部綴りになっている加工依頼票３は、そのうちの１部が控え書として客に渡される。
【０２７】
製造物情報欄３３は、通常、「販売者」「提供者」が記入するが、客が記入する事もできる。また、客情報欄３１も、「販売者」「提供者」側が記入する事もできる。なお、窓口店名欄３５に予め取扱い店名が記入されていない場合は、その場で記入する事もできる。
【０２８】
「販売者」「提供者」は、預かったグッズ、素材１と加工依頼票３の１部を布団加工業者に引き渡す（ステップ１０５）。布団加工業者は、「販売者」「提供者」からグッズ、素材１を受け取る（ステップ１０６）。なお、残りの１部の加工依頼票は、「販売者」「提供者」が控え書として保管する。
【０２９】
布団加工業者は、受け取ったグッズ、素材１に汚れやほつれ、やぶれ等がないかを確認する。
布団加工業者は、グッズ、素材１を使用して掛布団２を製造する（ステップ１０７）。
【０３０】
掛布団２は次のようにして製造される。
▲１▼グッズ、素材１を、適宜裁断したり縫着部を解いたりして、布地状にする。
▲２▼加工依頼票３の製造物情報欄３３に記入された情報に基づき、布地状に解いた布状物２０１を繋ぎ合わせて所定の大きさにする。そして、側地２０の表面の一部が構成されるようにする。布状物２０１は、グッズ、素材１にあった柄や模様ができるだけ表れるように繋ぎ合わせられる。
【０３１】
▲３▼所定の大きさに形成された布状物２０１の周縁部と裏側に基側地２００を縫って繋ぎ合わせ、袋状の側地２０を形成する（衿付額ブチ付タイプ（図２参照））。このようにしてグッズ、素材１を使用した側地２０がつくられる。
▲４▼側地２０の中に中綿２１である合繊わたを詰める。中綿２１を詰めた後は、中綿２１が出ないように縫い合わされ、キルティング加工が施される。
【０３２】
本実施の形態で基側地２００は綿布を使用したが、基側地２００を形成する材料はこれに限定するものではなく、例えば、絹、麻、合成繊維、またはそれらを混合したもの（混紡）等で形成することもできる。
【０３３】
２．掛布団の移動フロー
図５を参照する。布団加工業者は、製造された掛布団２を取扱い店である「販売者」「提供者」に引き渡して納品する（ステップ２００）「販売者」「提供者」は、掛布団２を受け取る（ステップ２０１）
【０３４】
「販売者」「提供者」は、客に掛布団を引き渡す。（ステップ２０２）。客は、製造された掛布団２が加工依頼票３に記載されたとおりに製造されているか等を確認して、掛布団２を受け取る（ステップ２０３）。
【０３５】
３．製造代金の移動フロー
図６を参照する。客は、代金を「販売者」「提供者」に支払う（ステップ３００）。「販売者」「提供者」は、代金を受け取る（ステップ３０１）。
【０３６】
「販売者」「提供者」は、布団加工業者に掛布団の製造代金を支払う（ステップ３０２）。布団加工業者は、「販売者」「提供者」より掛布団２の製造代金を受け取る（ステップ３０３）。
【０３７】
本実施の形態で示す販売促進方法によれば、客に、グッズ、素材１を預かってこれを素材とした掛布団２を製造して提供するという利益を与えることができ、客に興味を持たせることができる。これにより「販売者」「提供者」の販売促進を図ることができる。
【０３８】
グッズ、素材１の柄や模様が表れた掛布団２が製造されるので、客は、通常であれば手に入れることができない。例えば、思い出深い掛布団２や、今までにない独自の雰囲気を備えた掛布団２を得ることができる。
【０３９】
掛布団２が、加工依頼票３の製造物情報欄３３に記入された情報に基づいて製造されるようにしたので、製造される掛布団２の形態を予め客と「販売者」「提供者」との間で決めておくことができる。これにより客は、例えば希望通りの掛布団２を得ることができるし、布団加工業者は予め決められた通りに製造すれば良く、迷うことなく製造できる。
【０４０】
本実施の形態で示す販売促進方法は、「販売者」「提供者」での物品の販売促進を図るために創出されたものであるが、布団加工業者も製造代金を受け取るという利益を得ることができる。また、客も新しいタイプの布団として有効利用ができるという利益を得ることができる。
つまり、本実施の形態で示す販売促進方法によれば、結果的に三者とも利益を得えることができるというシステムが構築できる。
【０４１】
本実施の形態で布団は掛布団２を示したが、布団はこれに限定するものではなく、例えば、敷布団、炬燵布団、座布団でも良い。また、本実施の形態で布団側は掛布団を構成する側地２０を示したが、布団側はこれに限定するものではく、例えば、敷布団、炬燵布団、座布団等を覆うカバーでも良い。
【０４２】
本実施の形態で側地２０には合繊わたを詰めるようにしたが、詰めるものはこれらに限定するものではなく、例えば、羽毛、羊毛、木綿、絹、麻、またはそれらを混合したもの（混紡）等を使用することもできる。
また、本実施の形態で布状物２０１としているものは、その素材は、綿、合成繊維、絹、麻、ナイロン、羊毛またそれらの混合したものを使用する。これに限定されるものではない。
【０４３】
また、掛布団２にはキルティング加工を施したが、これも限定するものではなく、例えば、和式調の綴じ合わせ（和とじ加工）を施すこともできる。
【０４４】
布状物２０１を設ける箇所は、表面の周縁部以外の部分に限定するものではなく、側地２０の表面の全体（いわゆる毛抜タイプ又は全面柄タイプ）、側地の表裏面等、適宜設定することができる。
【０４５】
「販売者」「提供者」によるグッズ、素材の販売注文（客からの注文）やグッズ、素材の加工依頼（客からの依頼や布団加工業者への依頼を含む）等の事務的なことは、電気通信回線（例えば、電話、ファックス、インターネット）や郵便を使用して行うこともできる。
また、本実施の形態で加工依頼票３は、紙製のものを渡して使用するようにしたが、例えば、電気通信回線（例えば、電話、ファックス、インターネット）を使用して連絡することもできる。
【０４６】
グッズ、素材１や製造された掛布団２の引き渡しや受け取りは、例えば、各種郵送手段（郵送や宅配便等）を使用して行うこともできる。
【０４７】
本実施の形態で示すグッズ、素材１の加工は、客に対しては有料で提供するようにしたが、これは限定するものではなく、無料で提供することもできる。例えば、販売したグッズ、素材の売り上げ金額によって、無料にしたり有料にしたりすることができる。また、有料の場合では、グッズ、素材のの売り上げ金額によって、製造代金に差をつけることもできる。更に、有料の場合において製造代金は、客が「販売者」「提供者」に支払うようにすることもできるし、客が、「販売者」「提供者」の代わりに直接布団加工業者に支払うようにすることもできる。
【０４８】
本実施の形態でグッズ、素材１は、客から「販売者」「提供者」に引き渡され、「販売者」「提供者」から布団加工業者に引き渡されるようにしたが、これは限定するものではなく、例えば、客から直接布団加工業者に引き渡すこともできる。
【０４９】
本実施の形態で製造された掛布団２は、布団加工業者から「販売者」「提供者」に引き渡し、「販売者」「提供者」から客に引き渡すようにしたが、これは限定するものではなく、例えば、布団加工業者から直接客に引き渡すこともできる。
【０５０】
本明細書で使用している用語と表現は、あくまでも説明上のものであって、なんら限定的なものではなく、本明細書に記述された特徴およびその一部と等価の用語や表現を除外する意図はない。また、本発明の技術思考の範囲内で、種々の変形態様が可能であることはいうまでもない。
【０５１】
【発明の効果】
本発明は上記構成を備え、次の効果を有する。
（ａ）本発明に係る布団の製造方法によれば、グッズ、素材の柄や模様等が表れた布団が製造できる。製造された布団は所有者に返却される。このようにして所有者は、通常であれば手に入れることができない、例えば、思い出深い布団や、今までにない独自の雰囲気を備えた布団を得ることができる。
【０５２】
（ｂ）少なくとも所有者と加工者に渡される製造要領を示す手段に基づいて布団を製造する本発明に係る布団の製造方法によれば、製造される布団の形態を予め製造要領を示す手段を使用して所有者と加工者との間で決めておくことができる。これにより所有者は、例えば希望通りの布団を得ることができるし、加工者は予め決められた通りに製造すれば良く、迷うことなく製造できる。
【０５３】
（ｃ）本発明に係る物品の販売促進方法によれば、購入者に、グッズ、素材等を預かってこれを素材とした布団を製造して提供するという利益を与えることができ、単に物品を販売する場合よりも、購入者に興味を持たせることができる。これにより販売者による物品の販売がし易くなり、物品の販売促進を図ることができる。
【０５４】
本発明に係る役務の提供促進方法によれば、享受者に、グッズ、素材等を預かってこれを素材とした布団を製造するという利益を与えることができ、単に役務を提供する場合よりも、享受者に興味を持たせることができる。これにより提供者による役務の提供がし易くなり、役務の提供促進を図ることができる。
【図面の簡単な説明】
【図１】本説明に係る物品の販売促進方法の一実施の形態で使用するグッズ（野球応援フラッグ）を示す説明図。
【図２】図１に示すグッズ（野球応援フラッグ）を加工して製造された掛布団を示す説明図。
【図３】加工依頼票を示す説明図。
【図４】グッズ、素材の引き渡しや受け取りの流れを示すフロー図。
【図５】製造された布団の引き渡しや受け取りの流れを示すフロー図。
【図６】製造代金や支払いや受け取りの流れを示すフロー図。
【符号の説明】
１　グッズ（野球応援フラッグ）
２　掛布団
２０　側地
２００　基側地
２０１　布状物
２１　中綿
３　加工依頼票
３０　日付欄
３１　客情報欄
３２　預かり物情報欄
３３　製造物情報欄
３４　フロー図
３５　窓口店名欄
３６　金額欄
【図１】
2004121783.tif 000003
【図２】
2004121783.tif 000004
【図３】
2004121783.tif 000005
【図４】
2004121783.tif 000006
【図５】
2004121783.tif 000007
【図６】
2004121783.tif 000008